(57)【要約】【課題】部品点数と組立工数を削減することができる電力量計を提供する。【解決手段】電力配電線を固定するとともにコの字をなしたコの字部１３１が形成されたベース１３と、ベース１３に取り付けられるとともにコの字部１３１が挿入されるケース穴２１が設けられたケース１０と、コの字部１３１にワイヤー２３を通してケース１０とベース１３とを封印するワイヤー封印部２２とを備える。【選択図】図４
2015210211.tif 000002
【特許請求の範囲】
【請求項１】
電力配電線を固定するとともにコの字をなしたコの字部が形成されたベースと、
前記ベースに取り付けられるとともに前記コの字部が挿入されるケース穴が設けられたケースと、
前記コの字部にワイヤーを通して前記ベースと前記ケースとを封印するワイヤー封印部と、
を備えることを特徴とする電力量計。
【請求項２】
前記ケースにケース貫通穴を設け、前記ベースの内の前記ケース貫通穴に対向する位置にベース貫通穴を設け、
前記ワイヤー封印部は、前記コの字部と前記ケース貫通穴と前記ベース貫通穴とに前記ワイヤーを通して前記ベースと前記ケースとを封印することを特徴とする請求項１記載の電力量計。
【請求項３】
電力配電線を固定するとともにコの字をなしたコの字部が形成されたベースと、
前記ベースに取り付けられるケースと、
前記ベースを覆うとともに前記コの字部が挿入されるカバー穴が設けられたカバーと、
前記コの字部にワイヤーを通して前記ベースと前記カバーとを封印するワイヤー封印部と、
を備えることを特徴とする電力量計。
【請求項４】
前記カバーにカバー貫通穴を設け、前記ベースの内の前記カバー貫通穴に対向する位置にベース貫通穴を設け、
前記ワイヤー封印部は、前記コの字部と前記カバー貫通穴と前記ベース貫通穴とに前記ワイヤーを通して前記カバーと前記ベースとを封印することを特徴とする請求項３記載の電力量計。
【請求項５】
電力配電線を固定するとともにコの字をなしたコの字部が形成されたベースと、
前記ベースに取り付けられるとともに前記コの字部が挿入されるケース穴が設けられたケースと、
前記ベースを覆うとともに前記コの字部が挿入されるカバー穴が設けられたカバーと、
前記コの字部にワイヤーを通して前記ケースと前記カバーとを封印するワイヤー封印部と、
を備えることを特徴とする電力量計。
【請求項６】
前記カバーにカバー貫通穴を設け、前記ケースの内の前記カバー貫通穴に対向する位置にケース貫通穴を設け、前記ベースの内の前記ケース貫通穴に対向する位置にベース貫通穴を設け、
前記ワイヤー封印部は、前記コの字部と前記カバー貫通穴と前記ケース貫通穴と前記ベース貫通穴とに前記ワイヤーを通して前記カバーと前記ベースと前記ケースとを封印することを特徴とする請求項５記載の電力量計。
【請求項７】
前記ワイヤー封印部を複数箇所に設け、各箇所のワイヤー封印部は、前記ワイヤーを通して前記カバーと前記ベースと前記ケースとの少なくとも２つを封印することを特徴とする請求項１乃至請項６のいずれか１項記載の電力量計。
【発明の詳細な説明】
【技術分野】
【０００１】
本発明は、ケースとベースとカバーとを備えた電力量計に関する。
【背景技術】
【０００２】
電力量計は、電力配電線を固定するベースと、ベースに取り付けられるケースと、ベースを覆うカバーとを有して構成される。
【０００３】
図２０は、従来の電力量計の斜視図である。図２０（ａ）、図２０（ｃ）はカバー１９が取り付けられたベース１３をケース１０に取り付けた状態、図２０（ｂ）はケース１０にベース１３を取り付けた状態を示す。図２１、図２２は、図２０に示す従来の電力量計の分解図である。電力量を表示する表示部１５を有する回路部１４は、ケース１０に収納される。導体部１６には導体部１６に流れる電流を検出するセンサ部１７が取り付けられている。
【０００４】
４つの導体部１６の内、左側の２つの導体部１６には、電力供給側からの配電線を固定する電源側端子が取り付けられている。右側の２つの導体部１６には、需要家への配電線を固定する負荷側端子が取り付けられている。導体部１６はベース１３に収納され、ベース１３にカバー１９が取り付けられた後、ベース１３がケース１０に取り付けられる。
【０００５】
この電力量計では、１つ以上の特殊な封印ねじ１２で、ケース１０又はカバー１９を挟み込むようにして、ベース１３の雌ねじ部に締め付けることで、ケース１０とベース１３又はベース１３とカバー１９とを固定する。そして、ワイヤー封印部１８ａのワイヤーを封印ねじ１２ａのねじ頭とケース１０に貫通させてケース１０とベース１３とを封印し、ワイヤー封印部１８ｂのワイヤーを封印ねじ１２ｂのねじ頭とカバー１９に貫通させてベース１３とカバー１９とを封印していた。
【０００６】
なお、従来の技術として、例えば、特許文献１に記載された電力量計が知られている。
【先行技術文献】
【特許文献】
【０００７】
【特許文献１】特開２００６−２７５８００号公報
【発明の概要】
【発明が解決しようとする課題】
【０００８】
しかしながら、封印ねじ１２等のねじが増加したり、ねじを締め付ける工程が増加する。このため、コストがアップしていた。また、ケース１０又はカバー１９とベース１３とを組み立てる際には、ドライバーを使用するため、作業にかなりの時間を要していた。
【０００９】
本発明の課題は、部品点数と組立工数を削減することができる電力量計を提供する。
【課題を解決するための手段】
【００１０】
上記課題を解決するために、本発明に係る請求項１の発明は、電力配電線を固定するとともにコの字をなしたコの字部が形成されたベースと、前記ベースに取り付けられるとともに前記コの字部が挿入されるケース穴が設けられたケースと、前記コの字部にワイヤーを通して前記ベースと前記ケースとを封印するワイヤー封印部とを備えることを特徴とする。
【００１１】
請求項２の発明は、前記ケースにケース貫通穴を設け、前記ベースの内の前記ケース貫通穴に対向する位置にベース貫通穴を設け、前記ワイヤー封印部は、前記コの字部と前記ケース貫通穴と前記ベース貫通穴とに前記ワイヤーを通して前記ベースと前記ケースとを封印することを特徴とする。
【００１２】
請求項３の発明は、電力配電線を固定するとともにコの字をなしたコの字部が形成されたベースと、前記ベースに取り付けられるケースと、前記ベースを覆うとともに前記コの字部が挿入されるカバー穴が設けられたカバーと、前記コの字部にワイヤーを通して前記ベースと前記カバーとを封印するワイヤー封印部とを備えることを特徴とする。
【００１３】
請求項４の発明は、前記カバーにカバー貫通穴を設け、前記ベースの内の前記カバー貫通穴に対向する位置にベース貫通穴を設け、前記ワイヤー封印部は、前記コの字部と前記カバー貫通穴と前記ベース貫通穴とに前記ワイヤーを通して前記カバーと前記ベースとを封印することを特徴とする。
【００１４】
請求項５の発明は、電力配電線を固定するとともにコの字をなしたコの字部が形成されたベースと、前記ベースに取り付けられるとともに前記コの字部が挿入されるケース穴が設けられたケースと、前記ベースを覆うとともに前記コの字部が挿入されるカバー穴が設けられたカバーと、前記コの字部にワイヤーを通して前記ケースと前記カバーとを封印するワイヤー封印部とを備えることを特徴とする。
【００１５】
請求項６の発明は、前記カバーにカバー貫通穴を設け、前記ケースの内の前記カバー貫通穴に対向する位置にケース貫通穴を設け、前記ベースの内の前記ケース貫通穴に対向する位置にベース貫通穴を設け、前記ワイヤー封印部は、前記コの字部と前記カバー貫通穴と前記ケース貫通穴と前記ベース貫通穴とに前記ワイヤーを通して前記カバーと前記ベースと前記ケースと前記ベースとを封印する。
【００１６】
請求項７の発明は、前記ワイヤー封印部を複箇箇所に設け、各箇所のワイヤー封印部は、前記ワイヤーを通して前記カバーと前記ベースと前記ケースとの少なくとも２つを封印することを特徴とする。
【発明の効果】
【００１７】
本発明によれば、ケース穴にベースに形成されたコの字部が挿入され、コの字部にワイヤーを通してベースとケースとを封印することができるので、部品点数と組立工数を削減することができる電力量計を提供することができる。
【図面の簡単な説明】
【００１８】
【図１】本発明の実施例１に係る電力量計の斜視図である。
【図２】本発明の実施例１に係る電力量計の分解図である。
【図３】本発明の実施例１に係る電力量計の分解図である。
【図４】本発明の実施例１に係る電力量計のベースのコの字部にワイヤーを通してケースとベースとを封印した状態を示す断面図である。
【図５】本発明の実施例２に係る電力量計の斜視図である。
【図６】本発明の実施例２に係る電力量計のケース及びベースの分解斜視図である。
【図７】本発明の実施例２に係る電力量計のケース丸穴とベース丸穴とにワイヤーを通してケースとベースとを封印した状態を示す断面図である。
【図８】本発明の実施例３に係る電力量計の斜視図である。
【図９】本発明の実施例３に係る電力量計のケース及びベースの分解斜視図である。
【図１０】本発明の実施例３に係る電力量計のベースのコの字部にワイヤーを通してカバーとベースとを封印した状態を示す断面図である。
【図１１】本発明の実施例４に係る電力量計の斜視図である。
【図１２】本発明の実施例４に係る電力量計のケース及びベースの分解図である。
【図１３】本発明の実施例４に係る電力量計のカバー穴とベース穴にワイヤーを通してカバーとベースとを封印した状態を示す断面図である。
【図１４】本発明の実施例５に係る電力量計の斜視図である。
【図１５】本発明の実施例５に係る電力量計のケース及びベースの分解斜視図である。
【図１６】本発明の実施例５に係る電力量計のベースのコの字部にワイヤーを通してケースとカバーとを封印した状態を示す断面図である。
【図１７】本発明の実施例６に係る電力量計の斜視図である。
【図１８】本発明の実施例６に係る電力量計のケース及びベースの分解斜視図である。
【図１９】本発明の実施例６に係る電力量計のケース穴とカバー穴とベース穴とにワイヤーを通して封印した状態を示す断面図である。
【図２０】従来の電力量計の斜視図である。
【図２１】図２０に示す従来の電力量計の分解図である。
【図２２】図２０に示す従来の電力量計の分解図である。
【発明を実施するための形態】
【００１９】
以下、本発明の実施の形態に係る電力量計について、図面を参照しながら詳細に説明する。
【実施例１】
【００２０】
図１は、本発明の実施例１に係る電力量計の斜視図である。図２、図３は、本発明の実施例１に係る電力量計の分解図である。
【００２１】
図１に示す電力量計は、電力配電線を固定するベース１３と、ベース１３に取り付けられるケース１０とを備える。ケース１０には平板状のケース突起部２０が形成されており、この突起部２０には穴２１が設けられている。ベース１３には平板状のべース突起部１３０が形成されており、ケース突起部２０とべース突起部１３０とは対向するとともに接触している。
【００２２】
図４は、本発明の実施例１に係る電力量計のベース１３のコの字部１３１にワイヤー２３を通してケース１０とベース１３とを封印した状態を示す断面図である。
【００２３】
ベース突起部１３０には、平板状のベース突起本体に対して略直角方向に突出したコの字状をなすコの字部１３１が形成されている。このコの字部１３１は、ケース突起部２０に形成された穴２１に挿入されている。
【００２４】
このコの字部１３１にワイヤー封印部２２に有するワイヤー２３が挿通されてケース１０とベース１３とが封印されるようになっている。
【００２５】
図２、図３において、電力量を表示する表示部１５を有する回路部１４は、ケース１０に収納される。導体部１６には導体部１６に流れる電流を検出するセンサ部１７が取り付けられている。
【００２６】
４つの導体部１６の内、左側の２つの導体部１６には、電力供給側からの配電線を固定する電源側端子が取り付けられている。右側の２つの導体部１６には、需要家への配電線を固定する負荷側端子が取り付けられている。導体部１６はベース１３に収納され、ケース１０に取り付けられる。
【００２７】
このように構成された実施例１の電力量計によれば、ベース突起部１３０にコの字部１３１が形成され、コの字部１３１がケース突起部２０に形成された穴２１に挿入されているので、コの字部１３１にワイヤー封印部２２に有するワイヤー２３を通すことにより、ケース１０とベース１３とを封印することができる。
【実施例２】
【００２８】
図５は、本発明の実施例２に係る電力量計の斜視図である。図６（ａ）、図６（ｂ）は、本発明の実施例２に係る電力量計のケース１０の分解斜視図、図６（ｃ）、図６（ｄ）は、ベース１３の分解斜視図である。図７は、本発明の実施例２に係る電力量計のケース丸穴２１ａとベース丸穴１３２とにワイヤー２３を通してケース１０とベース１３とを封印した状態を示す断面図である。
【００２９】
実施例２に係る電力量計は、図４に示す実施例１に係る電力量計のケース１０とベース１３との封印構造に、さらに、以下の構成が設けられている。即ち、図７に示すように、平板状のケース突起部２０ａにはケース丸穴２１ａ（本発明のケース貫通穴に対応）が設けられている。ベース突起部１３０ａには、ケース丸穴２１ａに対向する位置にベース丸穴１３２（本発明のベース貫通穴に対応）が設けられている。
【００３０】
このように実施例２の電力量計の構成によれば、ワイヤー２３をコの字部１３１とケース丸穴２１ａとベース丸穴１３２とに通すことにより、ケース１０とベース１３とを封印することができる。従って、ケース１０とベース１３との封印効果をさらに高めることができる。
【実施例３】
【００３１】
図８は、本発明の実施例３に係る電力量計の斜視図である。図９（ａ）、図９（ｂ）は、本発明の実施例３に係る電力量計のケース１０の分解斜視図、図９（ｃ）、図９（ｄ）は、ベース１３の分解斜視図である。図１０は、本発明の実施例３に係る電力量計のベース１３のコの字部１３１ａにワイヤー２３を通してカバー１９とベース１３とを封印した状態を示す断面図である。
【００３２】
図１０に示す電力量計は、ベース１３と、ケース１０と、ベース１３を覆うカバー１９とを備える。ベース１３には突起したコの字状をなしたコの字部１３１ａが形成され、カバー１９にはコの字部１３１ａに対向する位置にカバー角穴１９１が設けられている。カバー角穴１９１にはコの字部１３１ａが挿入されている。
【００３３】
このように実施例３の電力量計の構成によれば、ワイヤー２３をコの字部１３１ａに通すことにより、カバー１９とベース１３とを封印することができる。
【実施例４】
【００３４】
図１１は、本発明の実施例４に係る電力量計の斜視図である。図１２（ａ）、図１２（ｂ）は、本発明の実施例４に係る電力量計のケース１０の分解図、図１２（ｃ）、図１２（ｄ）は、ベース１３の分解図である。図１３は、本発明の実施例４に係る電力量計のカバー穴１９２とベース穴１３３にワイヤー２３を通してカバー１９とベース１３とを封印した状態を示す断面図である。
【００３５】
実施例４に係る電力量計は、図８に示す実施例３に係る電力量計のカバー１９とベース１３との封印構造に、さらに、以下の構成が設けられている。即ち、図１３に示すように、カバー１９には角状のカバー穴１９２（本発明のカバー貫通穴に対応）を設けられ、ベース１３にはカバー穴１９２に対向する位置にＬ字状をなすベース穴１３３（本発明のベース貫通穴に対応）が設けられている。このベース穴１３３は、ベース１３の外部まで貫通している。
【００３６】
このように実施例４の電力量計の構成によれば、ワイヤー２３をコの字部１３１ａとカバー穴１９２とベース穴１３３とに通すことにより、カバー１９とベース１３とを封印することができる。従って、カバー１９とベース１３との封印効果をさらに高めることができる。
【実施例５】
【００３７】
図１４は、本発明の実施例５に係る電力量計の斜視図である。図１５（ａ）、図１５（ｂ）は、本発明の実施例５に係る電力量計のケース１０の分解斜視図、図１５（ｃ）、図１５（ｄ）は、ベース１３の分解斜視図である。図１６は、本発明の実施例５に係る電力量計のベース１３のコの字部１３１ｂにワイヤー２３を通してケース１０とカバー１９ａとを封印した状態を示す断面図である。
【００３８】
図１４に示す電力量計は、ベース１３と、ケース１０と、ベース１３を覆うカバー１９ａとを備える。図１５に示すように、ケース１０には平板状のケース突起部２０ｂが形成されている。
【００３９】
カバー１９ａは、図１６に示すように、平板からなり、ケース突起部２０ｂを覆っている。ケース突起部２０ｂにはケース穴２１ｂが設けられており、カバー１９ａの、ケース穴２１ｂに対向する位置にはカバー穴１９２が設けられている。
【００４０】
また、ベース１３には、ケース穴２１ｂとカバー穴１９２とに挿入されるコの字部１３１ｂが形成されている。
【００４１】
このように実施例５の電力量計の構成によれば、ワイヤー２３をコの字部１３１ｂに通すことにより、カバー１９ａとケース１０とを同時に封印することができる。
【実施例６】
【００４２】
図１７は、本発明の実施例６に係る電力量計の斜視図である。図１８（ａ）、図１８（ｂ）は、本発明の実施例６に係る電力量計のケース１０の分解斜視図、図１８（ｃ）、図１８（ｄ）は、ベース１３の分解斜視図である。図１９は、本発明の実施例６に係る電力量計のケース穴２１ｄとカバー穴１９３とベース穴１３４とにワイヤー２３を通して封印した状態を示す断面図である。
【００４３】
実施例６に係る電力量計は、図１４に示す実施例４に係る電力量計のカバー１９ａとケース１０との同時封印構造に、さらに、以下の構成が設けられている。即ち、図１９に示すように、カバー１９ｂには角状のカバー穴１９３が設けられ、ケース１０にはカバー穴１９３に対向する位置にケース穴２１ｄが設けられている。ベース１３にはケース穴２１ｄに対向する位置にＬ字状をなすベース穴１３４が設けられている。ベース穴１３４は、ベース１３の外部まで貫通している。
【００４４】
このように実施例６の電力量計の構成によれば、ワイヤー２３をコの字部１３１ｂとカバー穴１９３とケース穴２１ｄとベース穴１３４とを通して、カバー１９ｂとベース１３とケース１０とを封印することができる。従って、カバー１９ｂとベース１３とケース１０との封印効果をさらに高めることができる。
【００４５】
なお、本発明は、上述した実施例１乃至実施例６の電力量計に限定されるものではない。例えば、実施例１乃至実施例６の電力量計において、ワイヤー封印部２２を複箇箇所に設け、各箇所のワイヤー封印部２２が、ワイヤー２３を通してカバー１９とベース１３とケース１０との少なくとも２つを封印するようにしても良い。このようにすれば、第三者によるイタズラ防止効果を向上することができる。
【００４６】
また、実施例１乃至実施例６の電力量計の２つ以上の実施例を組み合わせても良い。このようにすれば、さらに、効果が大となる。
【符号の説明】
【００４７】
１０  ケース
１２  ねじ
１３  ベース
１４  回路部
１５  表示部
１６  導体部
１７  センサ部
１９，１９ａ，１９ｂ  カバー
２０，２０ａ，２０ｂ，２０ｃ  ケース突起部
２１  穴
２１ａ  ケース丸穴
２１ｂ，２１ｃ，２１ｄ  ケース穴
１８ａ，１８ｂ，２２  ワイヤー封印部
２３  ワイヤー
１３０，１３０ａ  ベース突起部
１３１，１３１ａ，１３１ｂ  コの字部
１３２  ベース丸穴
１３３，１３４  ベース穴
１９０ａ  カバー本体
１９０ｂ  カバー段部
１９１  カバー角穴
１９２，１９３  カバー穴
【図１】
2015210211.tif 000003
【図２】
2015210211.tif 000004
【図３】
2015210211.tif 000005
【図４】
2015210211.tif 000006
【図５】
2015210211.tif 000007
【図６】
2015210211.tif 000008
【図７】
2015210211.tif 000009
【図８】
2015210211.tif 000010
【図９】
2015210211.tif 000011
【図１０】
2015210211.tif 000012
【図１１】
2015210211.tif 000013
【図１２】
2015210211.tif 000014
【図１３】
2015210211.tif 000015
【図１４】
2015210211.tif 000016
【図１５】
2015210211.tif 000017
【図１６】
2015210211.tif 000018
【図１７】
2015210211.tif 000019
【図１８】
2015210211.tif 000020
【図１９】
2015210211.tif 000021
【図２０】
2015210211.tif 000022
【図２１】
2015210211.tif 000023
【図２２】
2015210211.tif 000024